(57)【要約】人体に対する違和感を与えることなくスピーカを収容し、同時にスピーカへの外部からの衝撃を回避して、クッション機能と好適な音響効果及び音圧効果を得る。  熱可塑性樹脂の連続線条のランダムなループ又はカールの隣接する線条相互を接触絡合集合して成る所定の嵩密度の空隙を備える三次元構造体であって、該三次元構造体の嵩密度の低い内層を介装して、長手方向表裏に、嵩密度の高い表面層を形成してなり、使用時において人体を支持するスプリング構造樹脂本体１０と、  前記スプリング構造樹脂本体１０内に内蔵され、又は、前記スプリング構造樹脂本体１０の表裏いずれかの面に対向配置されたスピーカを備えるクッション２０。
2005030011.tif 000002
【特許請求の範囲】
【請求項１】
熱可塑性樹脂の連続線条のランダムなループ又はカールの隣接する線条相互を接触絡合集合して成る所定の嵩密度の空隙を備える三次元構造体であって、該三次元構造体の嵩密度の低い内層を介装して、長手方向表裏に、嵩密度の高い表面層を形成してなり、使用時において人体の少なくとも上半身を支持するスプリング構造樹脂本体と、
前記スプリング構造樹脂本体内に内蔵され、又は、前記スプリング構造樹脂本体の表裏いずれかの面に対向配置されたスピーカを備えることを特徴とするクッション。
【請求項２】
前記スプリング構造樹脂本体の表面層の嵩密度は０．２〜０．５g/cm３、空隙率は４４〜７７％、前記内層の嵩密度は０．０１〜０．１５g/cm３、空隙率は８３〜９９％である請求項１記載のクッション。
【請求項３】
前記スプリング樹脂構造体を構成する線条の全部又は一部が中空である請求項１又は２記載のクッション。
【請求項４】
前記スピーカとして、出力する音の周波数の異なる複数のスピーカを設け、前記人体の頭部側から、下半身側に向かって出力する音の周波数が低下するよう前記各スピーカを配置したことを特徴とする請求項１〜３いずれか１項記載のクッション。
【請求項５】
前記スピーカを、使用時における人体の配置位置に対応する範囲内に配置したことを特徴とする請求項１〜４いずれか１項記載のクッション。
【請求項６】
使用時における人体の配置位置に対応し、該人体の胸部背面に位置して高音を出力するスピーカを設けると共に、人体の腹部背面に位置して低音を出力するスピーカを設けることを特徴とする請求項１〜５いずれか１項記載のクッション。
【請求項７】
人体の少なくとも上半身の背面を支持する背面支持部を備えた人体支持部の前記背面支持部に、請求項１〜６いずれか１項記載のクッションを配置したことを特徴とする音響システム。
【発明の詳細な説明】
【技術分野】
【０００１】
本発明は、スピーカを備えたクッション及び該クッションを備えた音響システムに係り、これに限定されるわけではないが，より詳しくは、各種椅子あるいは、自動車用シート、航空機のシート、ベッド等、座り又は寝る等した状態の人体の全体又は一部を支持する器具乃至は装置類（本発明において「人体支持部」という。）に用いて好適な、前記スピーカを備えたクッション、及び該クッションを前記人体支持部に適用した音響システムに関するもので、クッション性を保持しながらスピーカからの音圧、波動の体感を含む音響効果の得られる、スピーカを備えたクッション及び該クッションを備えた音響システムに関する。
【背景技術】
【０００２】
音響効果、音楽鑑賞、リラクゼーション等の目的で、ベッドや椅子等にスピーカ等を組み込んで、ベッド等に横臥した状態で、又は椅子に着座した状態で前記スピーカより流れる音楽や効果音等を楽しむことができるように構成された各種の音響システムが提案されている。【０００３】
このような音響システムとして、聴覚を通じて音を楽しむだけでなく、音圧や振動等によって音を体感可能とした体感音響装置（body sonic apparatus）も開発されており、一例として日本国特開平２−２１１０００号公報、日本国特開２００１−８６５８０号公報、日本国特開２００１−８６５８１号公報、及び日本国特開２００３−４７０８０号公報等に見られるようにスピーカ、振動トランスデューサ等の振動システムを組み込んだ体感音響装置が、音楽鑑賞、音楽治療、リラクゼーション等の目的で利用されている。【０００４】
体感音響装置がこのような用途で利用される理由は、耳から入る音が、意識的、論理的な面に訴えるのに対し、体感音響は人の情緒、本能に訴えかける作用があり、重低音感、リズム感、エネルギー感、陶酔感を与えるといわれており、このような体感音響により、リラクゼーション、陶酔感等の心地よさを得られることによるものと考えられる。【０００５】
特に、近年においてはコンピュータ関連のテクノストレスも増大の一途であり、その解決手段として体感音響によるリラクゼーション効果等も有望であり、また、体感音響を音楽療法や診療内科等の治療的な領域に適用すること、人工透析や歯科診療等に際して苦痛の軽減等を図る目的で利用すること等も検討されている。【０００６】
ところで、現在、前述のようにベッドや椅子、自動車や航空機のシート等に使用されるクッションは、ウレタンフォームが主流であり、これらにスピーカを組み込んだ従来の音響システムにあっては、これらウレタンフォームに面して一定の間隔を設けてスピーカを配置する構造とするのが一般的である。
【発明の開示】
【発明が解決しようとする課題】
【０００７】
上記の音響システムにおいて、クッションとして一般的に使用されているウレタンフォームは通気性が乏しいために、音響効果が抑制され、あるいは音が濁る問題点があった。従って、上述のようにウレタンフォームに対して一定の間隔を設けてスピーカを配置しているが、シートあるいはベッド等に構成した場合の厚みが必要以上に大きくなる等の問題があった。【０００８】
また、スピーカにより発生した音（波動）を、空気を媒質として伝導する場合には、この波動が体感し難い一方、これを明確に体感出来る程の大音量をスピーカより出力すると、鼓膜が過度に刺激されて不快感につながるおそれがある。【０００９】
一方、このような体感音響装置において波動や振動によるリラクゼーションや陶酔感等の「心地よさ」を得るために、スピーカとは別に、人体で感知しやすい波動や振動を発生するための装置を設けることも考えられるが、このような装置の追加は、音響システム全体の構成を複雑にすると共に高価とする。【００１０】
さらに、音圧や波動により音を体感する場合、例えば骨伝導により音を認識する場合には、高い音は頭頂骨、低い音は骨盤というように音域によって音に共振し易い骨の部位は異なることから、人体のいずれの部位に音（音圧や波動を含む）を伝達するかは、これを音域毎に適切に選択しなければ音を体感し難く、また、リラクゼーションや陶酔感を得難いものとなる。【００１１】
本発明は、上記課題を解決するため、所定の嵩密度の空隙を備える三次元構造体から成る通気性のスプリング構造樹脂本体を用いて、スピーカによる人体に対する違和感を与えることなく、同時にスピーカへの外部からの衝撃を回避して、クッション機能と好適な音響効果及び音圧効果を得ることを目的とするものである。【００１２】
また、本発明の別の目的は、波動や音圧等による音の体感を通じてリラクゼーション効果や陶酔感等を得やすい、スピーカを備えたクッション、及び該クッションを備えた音響システムを提供することを目的とする。
【課題を解決するための手段】
【００１３】
上記目的を達成するため、本発明のクッション２０は、
熱可塑性樹脂の連続線条のランダムなループ又はカールの隣接する線条相互を接触絡合集合して成る所定の嵩密度の空隙を備える三次元構造体であって、該三次元構造体の嵩密度の低い内層を介装して、長手方向表裏に、嵩密度の高い表面層を形成して成り、使用時において人体の少なくとも上半身を支持するスプリング構造樹脂本体１０と、
前記スプリング構造樹脂本体１０内に内蔵され、又は、前記スプリング構造樹脂本体１０の表裏いずれかの面に対向配置されたスピーカを備えることを特徴とする。【００１４】
前記構成のクッション２０において、前記スプリング構造樹脂本体１０の表面層の嵩密度は０．２〜０．５g/cm３、好ましくは、０．３〜０．４g/cm３、空隙率は４４〜７７％、好ましくは、５６〜６７％、前記内層の嵩密度は０．０１〜０．１５g/cm３、好ましくは、０．０３〜０．０５g/cm３、空隙率は８３〜９９％、好ましくは、９４〜９７％である。【００１５】
前記スプリング樹脂構造体を構成する線条の全部又は一部は、これを中空とすることが好ましい。【００１６】
さらに、前記スピーカとして、出力する音の周波数が異なる複数のスピーカを設け、前記人体の頭部側から、下半身側に向かって出力する音の周波数が低下するよう前記各スピーカを配置する構成としてもよい。【００１７】
さらに、これらのスピーカは、使用時における人体の配置位置に対応する範囲内に配置することが好ましく、また、
該人体の胸部背面に位置して高音を出力するスピーカを設けると共に、人体の腹部背面に位置して低音を出力するスピーカを設けても良い。【００１８】
また、本発明の音響システムは、例えば背もたれ等、人体の少なくとも上半身の背面を支持する背面支持部を備えた、例えば椅子、自動車や航空機のシート、ベッド等の人体支持部の前記背面支持部に、前述したいずれかのクッションを配置した構成を備えたものである。
【発明の効果】
【００１９】
本発明のクッションは、三次元構造のスプリング構造樹脂本体自体の通気性により、音響効果を減殺することなく、また、スプリング構造樹脂本体の表裏に形成される嵩密度の高い表面層により、椅子や自動車、航空機等のシートあるいはベッド等のクッションとしての使用中にも、人体によるスピーカへの接触あるいは、衝撃を防止し、一方、スピーカによる人体への違和感を皆無とすることができる。【００２０】
また、上記通気性により、音の反発あるいは抑制が生ぜず、音波の流動性が良く、音域により、音圧による振動で身体的、精神的リラクゼーションが得られる。同時に、スピーカ自体の共振共鳴振動を抑制できる。【００２１】
さらに、前述の構成を備えたスプリング構造樹脂本体は、それ自体がスピーカで生じた波動を人体に伝導する媒質としても機能するために、空気を媒質とした音の伝導に加え、スプリング構造樹脂本体を媒質として伝導された波動が人体に伝導されて聴覚以外の感覚、例えば波動の振動としての知覚や、骨伝導による音としての認識等によっても音を体感乃至は認識することができる。【００２２】
そのため、スピーカによって比較的音量の小さな音を出力した場合であっても、スピーカで発生した波動を聴覚以外でも体感できるクリアな状態で人体に伝導でき、スピーカの他、人体で知覚し易い振動を発生させるための構造を別途設けることなく、音を振動等として体感し得るクッション及び音響システムを提供することができた。【００２３】
特に、スプリング構造樹脂本体を構成する線条の全部又は一部を中空構造とする場合には、中空線条の内部の空気により、鮮明な高音域の伝導を実現できた。【００２４】
さらに、本発明は、上記三次元構造により雑音防止効果があり、又、多様な用途に適応できる各種形状に成形することが可能である。また、スピーカの内蔵にあたっても、所望の部位に任意の形状にスピーカを取り付けるための凹部を、例えばヒートプレス等で簡単に形成することができる。【００２５】
さらに、本発明は、三次元スプリング構造の樹脂本体の嵩密度の低い内層を介装して、長手方向表裏に、嵩密度の高い表面層を形成したことにより、製品表面が密で、糸引き、凹凸が少なく表面が滑らかである。表面層の密度が高く、融着力が強固なので圧力分散性が優れる。厚さを薄くしても、クッション性・耐へたり性、耐屈曲性に優れる。表面層のループは、製品の長手方向（押出方向）に概ね平行となっており圧力分散効果を有し、内層のループは、厚さ方向に概ね平行となり、クッション性を高めている。【００２６】
加えて、出力する音の周波数が異なる複数のスピーカを、支持する人体の頭部側から下半身側に向かって周波数が低下するように配置することにより、人体（骨）の部位毎に伝導し易い音域の相違と、スピーカが出力する音の周波数（音域）とを対応させることができ、骨伝導等によってもクリアな音の認識が可能であり、前述したリラクゼーションや陶酔感等を得易いものとすることができる。【００２７】
また、これらのスピーカを、使用時において人体が配置される範囲に対応した領域内に設けることにより、スピーカより生じた音圧や波動（振動）等を人体に伝導し易いものとすることができた。【００２８】
さらに、人体の部位において心地よいと感じる振動の周波数が異なり、例えば胸部においては比較的高い周波数の振動を、腹部にあっては比較的低い周波数の振動を心地よいと感じることから、例えば高音を出力するスピーカを人体の胸部の背面側に、低音を出力するスピーカを腹部の背面に配置することにより、さらに深いリラクゼーションや陶酔感等を得ることができる。【００２９】
以上のような本発明のクッションが有する効果から、本発明では、こうしたスプリング構造樹脂本体の硬い表面層に歪みのない音の波動を共振させ、スプリング構造樹脂本体そのものをスピーカの一部として一体的に作用させる音響システムを構築することが可能となる。スプリング構造樹脂本体の中空線条の内部の空気により、鮮明な高音域が実現できる。鼓膜による聴力は加齢とともに衰えていくが、スプリング構造樹脂本体を介した骨伝導により音を認識し、通常、耳では聞こえ難い音が鮮明に聞こえる。このような音響システムにより音楽を鑑賞する場合には、それぞれの楽器の音もクリアに響く高い音質を確保している。また、映画等を鑑賞する場合には立体的な音を楽しむと同時に聞き取り難い英語の台詞等も聞き取りやすく、疲れにくいと感じられる。音楽家、言語リハビリを受ける者等の感性を高め実力を向上させる練習器具ともなる。例えば、バイオリニストは顎骨から脳に振動が伝達されて音を識別し、ピアニストの場合には足から音を骨伝導で聞いているように、スプリング構造樹脂本体を介した骨伝導により実際に楽器を演奏している場合と同様の音を体感することができ、音楽家等の感性を高めることもできる。【００３０】
さらに、本発明では、せき髄や内臓を波動という微振動でマッサージすることになるため、血行を良くし、心身のリラクゼーションが得られるという効果もある。介護や医療現場への新たな効果も期待され、波動医学としての研究も発展が期待される。自動車のシート等に応用する場合には安全運転や疲労回復などに効果があり、音質を高めるとともにリラックス効果をもたらすことができる。心地よい音楽を聴くことは、それ自体リラックスできる効果があるといわれ、健康的な生活環境づくりに貢献できる新たな音響システムを提供することができる。
【発明を実施するための最良の形態】
【００３１】
以下、本発明の実施形態について添付図面を参照しながら説明する。
１．音響システム
本発明のクッション２０は、一例としてこれを椅子、ベッド、自動車や航空機のシート等の前述した人体支持部に設けられた背面支持部に配置することにより使用されるもので、このように、背面支持部に本発明のクッション２０が配置された人体支持部により、本発明における音響システムが構成される。【００３２】
なお、前述の背面支持部とは、前記人体支持部に設けられた、人体の少なくとも上半身の背面部分を支持する部分であり、人体支持部が前述の椅子やシート（座席）等である場合には、一例としてその背もたれ部分がこの背面支持部に相当する。【００３３】
本発明の音響システムを示す一実施形態として、この音響システムを椅子（ソファ）において実現した例を図１に示す。【００３４】
この音響システムを構成する人体支持部であるソファ１は、図１において座部２、座部２に乗せる座部クッション３、座部２から斜め後方に延び出す背部４と、背部４の前面を覆う背部クッション５、背部クッション５に止着される枕６、座部２の両側から上方に延び出す側面部７、側面部７の上方に固定される肘掛８、及び外包９から構成されており、このソファ１のうち、人が着座した際にその上半身の背中側を支持する背面支持部を成す前記背部クッション５内に、所定の形状に切断加工等されたスプリング構造樹脂本体１０を備える後述のクッション２０が収容されている。【００３５】
本実施形態において、背部クッション５を覆う外皮のうち、着座時に上半身の背中が接触する部分はこれをネット９ａとし、クッション２０に設けられたスピーカより発生した音、音圧、振動等が、人体に伝導される際の妨げとなることを防止している。【００３６】
また、図２は、本発明の音響システムをベッドにおいて実現した例である。ベッドにおいて、横臥した人の背面の支持は、ベッド上に載置されるクッション材によって成されるものであり、図示の実施形態にあっては、このベッド上に載置される一般的なクッション材に代え、後述するスプリング構造樹脂本体１０とスピーカから成る本発明のクッション２０を載置する構成としている。【００３７】
クッション２０のベッド８０への接地は、通常ベニヤ合板などのベッド８０の床面に厚さ１〜３mm程度のゴム製シートを敷いて、このシート上にスピーカ３２〜４３を取り付けた前記スプリング構造樹脂本体１０を載置することにより行う。【００３８】
２．クッション
前述のように、人体支持部と組み合わせる等して使用される本発明のクッション２０は、使用時において人体の少なくとも上半身部分を支持するスプリング構造樹脂本体１０とスピーカにより構成されるものであり、このクッション２０は一例として下記に説明するように構成することができる。【００３９】
２−１．スプリング構造樹脂本体１０
使用時において人体の少なくとも上半身部分を、例えば背中側において支持する前述のスプリング構造樹脂本体１０は、本実施形態において熱可塑性樹脂を原料又は主原料とする連続線条１２（以下、単に線条１２ともいう）からなる線条がランダムに絡合集合して成る空隙を備える三次元構造体であり、この線条１２は、複数のループを形成し、ループの隣接する線条相互を接触絡合集合するものである。【００４０】
前記熱可塑性樹脂は、汎用プラスチック（ポリオレフィン、ポリスチレン系樹脂、メタクリル樹脂、ポリ塩化ビニール等）、エンジニアリングプラスチック（ポリアミド、ポリカーボネート、飽和ポリエステル、ポリアセタール等）等である。好ましくは熱可塑性エラストマーより成り、例えば、ポリエチレン（以下ＰＥと記す）、ポリプロピレン（以下ＰＰと記す）、ＰＶＣ又はナイロン等のエラストマーより成ることが好ましい。なお、中空部は連続していなくてもよい。【００４１】
スプリング構造樹脂本体１０全体の嵩密度は、０．００１〜０．２０g/cm３である。【００４２】
好ましくは、スプリング構造樹脂本体１０の嵩密度は、０．０８〜０．２０g/cm３、より好ましくは、０．１０〜０．１８g/cm３、空隙率は、７８〜９１％、さらに、好ましくは、８０〜８８％である。スプリング構造樹脂本体１０は表裏両面をそれぞれを構成する２つの表面層１４、１５と、それらの表面層１４、１５で挟まれた内層１６とから構成されている。表面層の嵩密度は０．２〜０．５g/cm３、好ましくは、０．３〜０．４g/cm３、空隙率は４４〜７７％、好ましくは、５６〜６７％である。内層の嵩密度は０．０１〜０．１５g/cm３、好ましくは、０．０３〜０．０５g/cm３、空隙率は８３〜９９％、好ましくは、９４〜９７％である。【００４３】
スプリング構造樹脂本体１０の線条の線径（直径）は、無垢線条の場合、０．３〜３．０mm、好ましくは、０．７〜１．０mmである。無垢の線条にあっては、線径０．３mm以下では、線条に腰が無くなり、融着部が多くなって空隙率が低下する。３．０mm以上では、線条に腰がありすぎ、ループが形成されず、融着部が少なくなり、強度が低下する。中空線条の場合、１．０〜３．０mm、好ましくは、１．５〜２．０mm、特に好ましくは、０．９〜１．３mmである。中空の線条にあっては、１．０〜３．０mm、好ましくは、１．５〜２．０mmである。中空率は１０％〜８０％が好ましい。中空率が１０％以下では重量軽減に寄与せず、８０％以上ではクッション性が低下するおそれがある。【００４４】
スプリング構造樹脂本体１０の厚さは、人体を支持するに必要な強度と変形性とを発揮するものであれば特に限定されないが、これにスピーカを内蔵する場合にはスピーカを内蔵するために必要な厚さに形成され、一例として６０mm〜１００mm、好ましくは、７０〜８０mmである。長さ及び幅等、最終形状は、用途に応じて、溶断あるいは機械的切断、ホットプレスなどにより任意に形成できる。【００４５】
所定の嵩密度の空隙を備える三次元構造体としての弾性と強度を維持し、重量を軽減するため、空隙率は上記範囲が好ましい。ここで、空隙率とは、
［空隙率（％）］＝（１−［嵩密度］/［樹脂の密度］）×１００
である。【００４６】
スプリング構造樹脂本体１０を構成する線条は、中空、無垢（中実）いずれか、又は両者混合のいずれであっても良く、線条内の空気が鮮明な高音域の伝導を可能としていることから、特に中空の線条の使用は好ましい。無垢の線条と中空の線条とを混在した状態で使用する場合には、その混合比は、無垢：中空＝０〜５０：５０〜１００であることが好ましい。【００４７】
このとき、中心部に中空の線条を用い、その中空の線条の外周を無垢の線条で被覆することにより、触感が良好となり好ましい。【００４８】
スプリング構造樹脂本体１０の原料となる熱可塑性樹脂は、特に、ポリエチレン（ＰＥ）、ポリプロピレン（ＰＰ）等のポリオレフィン系樹脂が好ましい。酢酸ビニル樹脂（以下ＶＡＣと記す）、エチレン酢酸ビニル共重合体（以下ＥＶＡと記す）又は、スチレンブタジエンスチレン（以下ＳＢＳと記す）等が好ましく、これらを混合したものでもよい。また、ポリオレフィン系樹脂は再生樹脂であっても良い。【００４９】
熱可塑性樹脂が、ポリオレフィン系樹脂と、酢酸ビニル樹脂、エチレン酢酸ビニル共重合体、又はスチレンブタジエンスチレンとの混合物から成ることが好ましい。【００５０】
ＰＥ、ＰＰ等のポリオレフィン系樹脂と、ＶＡＣ、ＥＶＡ又はＳＢＳとの混合物（例えば、熱可塑性エラストマー）を原料として成形された三次元構造体であるスプリング構造樹脂本体１０が好ましい。【００５１】
ポリオレフィン系樹脂と酢酸ビニル樹脂又はエチレン酢酸ビニル共重合体の酢酸ビニルの混合比は、７０〜９７重量％：３〜３０重量％、好ましくは８０〜９０重量％：１０〜２０重量％であることが好ましい。【００５２】
ＶＡＣ又はＥＶＡが３重量％以下であると反発弾性が低下し、３０重量％以上になると熱的特性が低下する。【００５３】
ポリオレフィン系樹脂とスチレンブタジエンスチレンの混合比は、５０〜９７重量％：３〜５０重量％、好ましくは７０〜９０重量％：１０〜３０重量％であることが好ましい。【００５４】
２−２．スプリング構造樹脂本体に対するスピーカの取り付け
（１）スプリング構造樹脂本体１０への内蔵
上記スプリング構造樹脂本体１０に対するスピーカ２４の取り付けは、スプリング構造樹脂本体の表裏面層１４、１５いずれかに、ここでは、図３に示すように、スピーカ２４のコーン紙２６を、ここでは、使用する人体側の面となるよう、スプリング構造樹脂本体１０の表面となる表面層１４に、スピーカ２４のフレーム２５外周（外縁）の大きさの孔部２３を形成する。【００５５】
孔部２３の形成は、前記フレーム外周形状と同形状のプレス面を有する雄型で、スプリング構造樹脂本体表面１４（，１５）を任意角度でプレスすることにより形成する。スピーカの面音源からの指向性を考慮して、必ずしも、スプリング構造樹脂本体１０に対して直角である必要はなく、用途などに応じて角度を変更しても良く、設置個数も任意である。【００５６】
また、より滑らかな周波数特性を確保するために、音域に対応した複数種類のサイズのコンポーネントを配置しても良い。【００５７】
上記プレス工程において、孔部２３のプレス方向底面は、前記嵩密度の高い表面層１４がそのまま維持され、孔部２３の側面は、プレスにより、スプリング構造樹脂本体１０の線条１２が溶断される。【００５８】
スピーカ２４に対する配線は、上記嵩密度の低い内層１６内を介して、スプリング構造樹脂本体１０の側面もしくは、裏面層１５に穿設した挿孔より任意に行うことができる。【００５９】
また、スピーカの種類は、所望のサイズ、特性のものを用いることができる。【００６０】
図２及び図３において、スピーカ２４のフレーム２５外周上には、４個所に防振ゴム片２９を固着し、該ゴム片２９上に、ここでは、アルミニウム製パンチングメタル３０を接着している。【００６１】
なお、図２及び図３において、２７は、シートクッションで、上記スプリング構造樹脂本体１０同様に成形され、スプリング構造樹脂本体１０上に敷設される。スピーカと人体との距離を保ち、且つ、接触及び衝撃から双方を保護するためである。【００６２】
なお、上記スプリング構造樹脂本体１０の厚みは、７０mm、シートクッション２７の厚みは３０mm、スピーカ用孔部２３の深さは、５０mmである。【００６３】
スプリング構造樹脂本体１０の裏面から孔部を形成したときにかぎらず、より音響効果を追求するには、スピーカ２４を保持するプラスチック製などの箱体（図示せず）に収納して、孔部２３に装着してもよい。【００６４】
（２）スプリング構造樹脂本体１０外での取り付け
前述の各スピーカは、図２及び図３を参照して説明したようにスプリング構造樹脂本体１０に形成した孔部２３内に収容する他、図４（ａ）に示す通り、例えば孔部２３’を備える埋込板６０を底板６１上に載置すると共に、該孔部２３’内にスピーカ３２〜４３を収容し、この埋込板６０上に前述のスプリング構造樹脂本体１０を載置することにより、該スピーカ３２〜４３がスプリング構造樹脂本体１０の片面（裏面）に対向配置されるように構成することもできる。【００６５】
ここで使用する埋込板６０及び底板６１は、例えばプラスチック板、ハニカム構造体、鉄、ベニヤ板、各種のものを使用することができ、また、図４（ｂ）に示すように、埋込板１０６は、これを熱可塑性樹脂の連続線条のランダムなループ又はカールの隣接する線条相互を接触絡合集合して成る所定の嵩密度の空隙を備える三次元構造体、好ましくは前述のスプリング構造樹脂本体１０と同様の構造を備えた三次元構造体によって構成しても良い。【００６６】
さらに、図４(c)に示す実施形態にあっては、図４（ａ）及び図４（ｂ）に示す実施形態における底板６１，６３の機能をも合わせ持つ埋込板１０６’を、前述の三次元構造体によって形成した例である。【００６７】
この図４（ｃ）に示す構成にあっては、孔部２３’を所定の深さで形成した有底孔として形成しているが、この孔部２３’は、貫通孔として構成しても良い。また、図４（ｃ）に示す例では、スピーカ３２〜４３に、その周縁より突出するフランジを設け、該フランジを孔部２３’の開口縁に係止して孔部２３’内にスピーカ３２〜４３内に固定している。この場合には、孔部２３’の開口縁に、このフランジが嵌合される段部２０ｄを形成して、スプリング構造樹脂本体１０を埋込板１０６’上に載置した際に、スプリング構造樹脂本体１０と埋込板１０６’との間に隙間が生じることが防止されている。【００６８】
なお、図４（ａ）及び図４（ｂ）に示す構成においても、このようにスピーカの周縁より突出するフランジを設けると共に、孔部２３の開口縁に段部２０ｄを設ける構成を採用することもでき、この構成を採用する場合には、底板６１，６３は必ずしも設ける必要はない。【００６９】
また、埋込板１０６，１０６’がスプリング構造樹脂本体同様の三次元構造体である場合には、孔部２３’を図３を参照して説明したと同様の方法乃至状態に形成することができる。【００７０】
２−３．スピーカの種類とその配置
次に図５及び図６を参照してスピーカの種類及び配置を説明する。図５及び図６において、クッション２０は、使用時において人体の少なくとも上半身を例えば背中側において支持するよう配置されており、同図中の点線は、標準的な人体３１がクッション２０に背中をもたれかけ、又はクッション２０上に仰向けの姿勢で横臥した際に、その背面側が載置される範囲である。【００７１】
なお、以下の説明において「上」乃至「下」は、特に説明のない場合、人体３１の頭部側を「上」、下半身側を「下」とする。【００７２】
図示の実施形態において、クッション２０には、人体３１頭部の両側においてスプリング構造樹脂本体１０内、又はスプリング構造樹脂本体１０の裏面側に配置された２対の上部スピーカ３２〜３５、頭部の裏側領域に配置されたセンタ・スピーカ３６、胸部に相当する部分の裏側領域に配置されたスピーカ３７〜４２、人体の腹部に相当する部分の裏側領域に配置されたスピーカ４３がそれぞれ設けられている。【００７３】
スピーカを配置する範囲は、最下端に配置されているスピーカ４３が図７に示す腰椎の範囲迄に収まるように配置することが好ましく、これを仙骨の範囲まで下げることは好ましくない。【００７４】
スピーカ、特に点線で示す人体３１の配置に対応した領域内に配置されるスピーカは、上方から下方に向かって出力する音の周波数が低下するように配置することが好ましく、本実施形態にあっては上部スピーカ３２〜４２を定格出力１５W、周波数特性１５０Hzから２０KHzのアンプ部（図示略）に接続するものとしており、また、スピーカ４３を、定格出力２５W、周波数特性２０Hzから１５０Hzのアンプ部（図示略）に接続するものとして、スピーカ４３がスピーカ３２〜４２に比較して低音を発するように構成している。このような低音（低周波音）は、骨や内臓を直接振動させることができ、これにより人体の官能に働きかけ、生理的な快感やマッサージ効果を得ることができる。【００７５】
スピーカ３７〜４３は、人体の上半身が配置される領域の横幅（ここでは、腕も加えた横幅４５〜５７cm、好ましくは胸の横幅２５〜３７cm）内に収容可能な大きさ（例えば８cmのコーン型）に設定され、また、脊椎の左右に対称に配置することが好ましい。【００７６】
スピーカの他の配置例としては、図６に示す通り、頭部の裏側にスピーカ４５、首の両側裏側にスピーカ４６及び４７、胸の左右の裏側にスピーカ４８〜５１、腹の裏側にスピーカ５２が配置されている。図５構造と異なる点は、頭部側において点線で示す人体３１の配置領域外に配置されているスピーカ４６，４７を、図５における上部スピーカ３２〜３５に比較して頭部に近付けて配置していることである。【００７７】
図７に示す通り、頭骨（頭頂骨）から仙骨に向かって（上から下にかけて）共振する周波数が低下するという骨伝導聴力の特性を利用してスピーカから出る音の周波数を変化させてもよい。つまり、音の周波数の高低によって人体の骨の共振する部位は異なっていることから、例えば、図５、図６において、上方から下方に向かってスピーカから出る音の周波数を漸次低下させるように設計することもできる。つまり、各スピーカからの音の周波数を、人体上半身の骨の部位に応じて異なるものとし、効果的な骨音響伝導を生じさせるものである。なお、音の周波数が低くなるほど、音の体感度は増す。【００７８】
３．使用方法及び作用
以上のように構成された本発明のクッション２０を備えた音響システムにおいて、該音響システムが椅子や自動車、航空機のシート等において実現されている場合には、椅子やシート等に着座した状態で上半身の背部を、クッション２０が配置された背もたれ等の背面支持部にもたれかけ、または、音響システムがベッド等として実現されている場合には、このベッド上に載置したクッション２０上に仰向けに横臥することにより、上半身の背面をクッション２０上に乗せ、この状態においてクッション２０に設けられたスピーカより音楽や効果音、その他の音を発生させる。【００７９】
スピーカによって発せられた音は、三次元構造のスプリング構造樹脂本体１０自体の通気性により、音響効果を減殺することなくクリアな音として聞き取ることができると共に、スプリング構造樹脂本体１０の通気性により、音の反発あるいは抑制が生ぜず、音波の流動性が良く、音域により、音圧による振動で身体的、精神的リラクゼーションが得られる。【００８０】
また、上半身の背部を支持するスプリング構造樹脂本体１０は、スピーカにより生じた音の波動を人体に対して伝導する媒質としても機能し、スピーカによって生じた音の波動が人体、特に骨を振動させて、該振動の知覚による音の体感や、骨伝導によって音を知覚することが可能となる。【００８１】
このような波動による振動等により、本発明の音響システムを使用する者は、リラクゼーション効果や陶酔感等の「心地よさ」を体感することができると共に、骨伝導により周囲の雑音等の影響を受けることなくクリアな音で音楽、その他の音を鑑賞することができる。【００８２】
このように、本発明のクッション、及び該クッションを使用した音響システムによれば、空気の振動による音の知覚乃至は体感と、スプリング構造樹脂本体１０、すなわちこれを構成する個々の線条を媒質とした波動の伝導による音の知覚（例えば骨伝導）や振動の体感という、２つの側面からの音の認識及び体感を得ることができると共に、これらの相乗効果により、より深い身体的、精神的なリラクゼーションや陶酔感等を得ることができるものとなっている。【００８３】
本発明のクッション２０は、前述のようにソファやベッド等に適用するのみならず、自動車、航空機、映画館、美容院、喫茶店、ホテル、ライブハウス、各種催事会場、ホール、フィットネスクラブ、医院等の座席、椅子、ベッドなどに適用することも可能であり、また、医療（人工透析椅子、外科手術台、分娩台、献血台、歯科治療台等）などに適用することも可能であり、音楽鑑賞、音楽練習、リラクゼーション、映像メディアと組み合わせ等、各種の分野への応用が可能である。【００８４】
４．スプリング構造樹脂本体１０の製造
４−１．スプリング構造樹脂成形装置１１５
次に、図８に示すスプリング構造樹脂本体１０の製造装置の一例であるスプリング構造樹脂成形装置１１５について説明する。図９、図１０に示す通り、押出成形機１２０はホッパー１２１を備え、ホッパー１２１より投入した熱可塑性樹脂を、所定温度で溶融混練し、成形ダイ（金型）１２２に備えられた、所定径の多数のノズル１２３から所定の押出速度において溶融した熱可塑性樹脂の線条１２からなる線条集合体１１３を押し出し、引取機１２４により引き取るものである。【００８５】
引取機１２４の引取ロール１２５，１２５は水槽１２６内の水中に設置されている。この引取ロール１２５，１２５は、それぞれ、上下一対のローラに１枚の無端ベルト１２８が掛けられたものである。水槽１２６は吸水バルブ１２６ａ及び排水バルブ１２６ｂを備えている。スプリング構造樹脂本体１０は、線条集合体１１３の線条１２がループ状にランダムに形成され、ループ同士が部分的に絡合接触して溶着して水中で固化し、巻取ロール１２９，１２９によりスプリング構造樹脂本体１０として取り出されるものである。【００８６】
図１０に示す通り、引取に際し、立体構造体であるスプリング構造樹脂本体１０を引取ロール１２５，１２５で折り曲げることが困難な場合には、嵩密度の粗い部分を作ることによってその部位で折り曲げ、水中から引き上げることもできる。切断装置１３０は、取り出されたスプリング構造樹脂本体１０を適宜長さに切断するものである。ループ成形装置１５０は、金型１２２から吐出した溶融した連続線条１２のうち外周側面部の連続線条が水槽１２６の水面に触れる前にその厚さを絞込んでスプリング構造樹脂本体１０の表面の密度を高めるとともに、ループを滑らかに形成させてループ同士の融着を均一化させるものであり、さらに、コンベアの無端ベルト１２８に触れる前に、その表面を冷却固化させ無端ベルト１２８の噛み痕が製品につかないようにするものである。【００８７】
また、別例として、図１１の正面図に示すように、水槽２２６内に切断装置２３０を設け、切断装置２３０は引取機２２４の下方近傍に配置し、水槽２２６の対向側壁には、切断部位で切断された単体の空隙に挿入される係止突起を多数突設したコンベアからなる搬送装置２３５を備える。他の部位の構成については、図９及び図１０中に示されている対応する部材と同様である。【００８８】
４−２．スプリング構造樹脂本体１０の製造方法
次に、上記スプリング構造樹脂本体１０の製造方法の一例について説明する。【００８９】
図１２の模式図に示すように、本実施形態におけるスプリング構造樹脂本体１０の製造方法において、好適には、ＰＥ，ＰＰ等のポリオレフィン系樹脂と、ＶＡＣ、ＥＶＡ又はＳＢＳ等の原料樹脂は、後述するタンブラー、或いは定量供給機等を経てドライブレンドされ、又は、混合若しくは溶融混合してペレット化されて、押出成形機１２０のホッパー１２１へ送られる。【００９０】
具体的には、原料樹脂、例えば、ＰＰとＳＢＳをタンブラー（加藤理機製作所製ＫＲ混合機）で、４０rpm、１５分間混合する。【００９１】
次に、図９の説明図に示すように、この原料樹脂から成る混合物をφ６５mm単軸押出成形機１２０のホッパー１２１（図１０参照）より投入し、所定温度（２００℃〜２６０℃）で溶融し混錬し、成形ダイ１２２に設けた所定系の多数のノズルから所定の押出速度において溶融押し出し、引取機１２４により引き取ることにより、所定の線径（例えば、６００〜９０，０００デニール、好ましくは３，０００〜３０，０００デニール、より好ましくは６，０００〜１０，０００デニール）の中空連続線条を形成し、この溶融状態の線条同士を、ループ形成装置１５０によって、隣同士の線条１２を接触絡合させることによりランダムなループ、例えば直径１〜１０mm、好ましくは直径１〜５mmのループを形成させる。このとき、接触絡号部位の少なくとも一部は、相互に溶融接触されて冷却される。また、密な表面層１４，１５と疎な内層１６とが形成される。線条１２は中空のものと中実のものとが所定割合で混合されていても良い。【００９２】
上記ランダムなループの集合である立体構造体の厚さ及び嵩密度は、水槽１２６内の引取機１２４の引取ロール１２５，１２５間で設定される。この立体構造体（例えば、厚さ１０〜２００mm、幅２，０００mm）は、カール又はループ状にランダムに形成され、水中で固化し、巻取ロール１２９，１２９によりスプリング構造樹脂本体１０として取り出される。【００９３】
水中においてこのループが形成された線条１２を引取機１２４により引き取る際には、引取機１２４の速度を変更することで、立体網状特性を変更しても良い。スプリング構造樹脂本体１０の嵩密度は、０．００１〜０．２０g/cm３、好ましくは、０．０８〜０．２０g/cm３、特に０．１０〜０．１８g/cm３、空隙率７８〜９１％、好ましくは８０〜８８％である。表面層１４，１５の嵩密度は、０．２〜０．５g/cm３、好ましくは、０．３〜０．４g/cm３、空隙率は４４〜７７％、好ましくは５６〜６７％、内層１６の嵩密度は０．０１〜０．１５g/cm３、好ましくは０．０３〜０．０５g/cm３、空隙率は８３〜９９％、好ましくは、９４〜９７％である。【００９４】
例えば、引取ロール１２５，１２５の引取速度をタイマー等により設定時間毎に、設定時間内、低速にする等、引取機１２４の引き取り速度を所定の間隔で低速に調整することにより、スプリング構造樹脂本体１０の長手方向において、所定間隔ごと（例えば、３０〜５０cm）に低速引き取り時に形成された嵩密度の大きい部分とそれ以外の部分、すなわち、粗密を連続して形成しても良い。【００９５】
図１０の正面図に示す通り、引き取りに際し、立体構造体であるスプリング構造樹脂本体１０を引取ロール１２５，１２５で折り曲げることが困難な場合には、嵩密度の粗い部分を作ることによってその部分で折り曲げ、水中から引き上げることもできる。以上の高低を経て取り出されたスプリング構造樹脂本体１０は、切断装置１３０により適宜長さに切断される。【００９６】
上記製造方法によって、一例として、嵩密度０．０３g/cm３、厚さ５０mmのスプリング構造樹脂本体１０を得た。なお、立体構造体は、それぞれ１種又は複数種の異なる材質の組合せから成るものを用いて製造することもできる。【００９７】
４−３．スプリング構造樹脂本体１０の製造装置実施例
使用する押出成形機１２０は直径９０mm単軸型押出機である。使用原料はエチレン酢酸ビニル共重合体である。運転条件は樹脂温度２５０℃、成形圧力は０．１MPa、スクリュー回転数は３０rpm、吐出能力は１３５kg/h、引取速度は３２．３m/hである。【００９８】
孔部２３の形成方法を説明する。孔部２３はカッタ等で機械的に削除することで形成しても良い。しかし、ビビリ音が出るおそれがあるので、これを防止するため、図１３に示す通り、熱プレス３０１（例えば１００℃）で上方から網状体を押し込んで、網状体を融固化させたものでも良い。
【図面の簡単な説明】
【００９９】
【図１】本発明のクッション２０を適用したソファの外観斜視図、
【図２】本発明のクッション２０を適用したベッドの外観斜視図、
【図３】クッション２０に対するスピーカ３２〜４３の取り付け例を示す縦断面図、
【図４】クッション２０に対するスピーカ３２〜４３の取り付けを示す縦断面図であり、（ａ）（ｂ）（ｃ）はそれぞれ異なる取り付け例、
【図５】クッション２０に対するスピーカの配置例を示す説明図、
【図６】クッション２０に対するスピーカの別の配置例を示す説明図、
【図７】人体の骨の各部位と共振周波数との関係を示す説明図、
【図８】スプリング構造樹脂本体１０の説明図、
【図９】スプリング構造樹脂本体の製造装置の説明図、
【図１０】スプリング構造樹脂本体の他の製造装置を示す説明図、
【図１１】スプリング構造樹脂本体のさらに他の製造装置を示す説明図、
【図１２】スプリング構造樹脂本体の製造工程を示す模式図、
【図１３】スプリング構造樹脂本体の孔部形成方法を示す模式図であり（ａ）〜（ｃ）はそれぞれ形成工程中の各状態である。
【図１】
2005030011.tif 000003
【図２】
2005030011.tif 000004
【図３】
2005030011.tif 000005
【図４】
2005030011.tif 000006
【図５】
2005030011.tif 000007
【図６】
2005030011.tif 000008
【図７】
2005030011.tif 000009
【図８】
2005030011.tif 000010
【図９】
2005030011.tif 000011
【図１０】
2005030011.tif 000012
【図１１】
2005030011.tif 000013
【図１２】
2005030011.tif 000014
【図１３】
2005030011.tif 000015
【国際調査報告】
2005030011.tif 000016
2005030011.tif 000017
2005030011.tif 000018
2005030011.tif 000019